(57)【要約】【課題】中規模、小規模の構築物（緑化対象）に対して手軽に緑化を実施することができ、また、緑化のためのコストを低減すること。【解決手段】植栽装置３と潅水装置４及び植栽された植物を誘引し支持する装置としてのワイヤ５を揃え、緑化装置セット２とする。植栽装置３は主としてつる性植物の成長に適した根の部分の環境を整えるものであり、雨水を主とする潅水装置４は給水を制御できる弁装置１６を備え、ワイヤ５は両端がワイヤ取付け具により他の物へ取り付け可能とされている。また、必要に応じてソーラーユニットを備えて夜間の防犯や広告ボックス２８を設置したりすることができる。【選択図】図１
2011024502.tif 000002
【特許請求の範囲】
【請求項１】
植栽装置と潅水装置及び植栽された植物を誘引し支持する装置としてのワイヤを揃えた緑化装置セット。
【請求項２】
植栽装置と潅水装置及び植栽された植物を誘引し支持する装置としてのワイヤ、及びソーラーパネルによる電源装置を揃え、潅水装置は植栽装置とシャワー装置への給水とその制御を行うものであって電源によって駆動されるものであることを特徴とした緑化装置セット。
【請求項３】
さらに、電源装置に接続されるＬＥＤによる照明装置を有していることを特徴とした請求項２に記載の緑化セット。
【請求項４】
ワイヤは両端に備えた取付け具により他の物へ取付け可能とされており、一端の取付け具はワイヤグリップであって、ワイヤグリップはチャック機構を備えてワイヤの端部へ着脱自在とされていることを特徴とした請求項１〜３のいずれか一つに記載の緑化セット。
【請求項５】
潅水装置は雨水を貯留して利用するものであることを特徴とした請求項１〜４のいずれか一つに記載の緑化装置セット。
【請求項６】
ワイヤは主線に副線を螺旋状に巻きつけたスパイラルワイヤであって、表面が合成樹脂で被覆されていることを特徴とした請求項１〜５のいずれか一つに記載の緑化装置セット。
【発明の詳細な説明】
【技術分野】
【０００１】
この発明は、植栽によって都市を緑化する技術に関する。
【背景技術】
【０００２】
都市部の緑化はヒートアイランド現象を緩和するほか、いわゆる目に優しい癒しの効果も大きい。緑化が可能な箇所は地上の空き地の他に主として建物の屋上、工場やビルの壁面とされているが、都市部には工場やビルなど大規模な構築物の他にバス停や駐輪場、掲示板、公衆トイレ、換気塔、地下への出入口など、種々の構築物がある。また、店舗のファサードにも緑化の要望がある。
【０００３】
特許文献１の緑化ユニットは、植物収容体と植物棚を基本構成とし、これに制御が可能な給水装置を組み合わせたものである。植物棚は、剛性の高い棒材を格子に組み合わせたものが基本となっており、これを種々に組み合わせ、また、配置するものである。特許文献２の壁面緑化装置は、複数の植栽ユニットを屋上側からワイヤで吊り下げて壁面を覆う構造であり、昇降装置３０などを必要としている。特許文献３の緑化工法は、壁面に複数のアタッチメントを固定しておきこれらに線状体を格子状となるように張り巡らせて、土壌保持部に植えた植物を線状体に支持させる構造である。これらはいずれも壁面などを覆う大型の構造といえる。
【０００４】
これに対して、比較的手軽に設置できそうな緑化ユニットも存在する。
特許文献４の緑化装置は、格子体４に帯状登攀助材２を掛け渡すものであり、図７などによれば比較的小型の装置である。特許文献５の植栽ユニットは、特別な構造を持つ樹脂性ネットによって立上り部３と土受容部４を一体に構成したものである。簡単な構造であるがネットは自立できる程度の剛直性が必要と思われる。特許文献６の植栽装置は植栽容器４と支柱管６及びこれに装着したネット８を備え、植栽をネットに這わせ、天井までの空間を緑化しようとするものである。なお、植栽容器４は、雨水を利用しており、容器の下層にためた雨水を上部の用土へ供給するようにしている。特許文献７の壁面緑化板キットは、格子に組んだ網状板をつなぎ合わせて必要とする面積のものを得る構成であり、例えばホームセンターで購入して自ら組み立てられるような手軽な構造であるとしている。
【先行技術文献】
【特許文献】
【０００５】
【特許文献１】特開２００９−１２４９８９号公報
【特許文献２】特開２００４−２４８５５０号公報
【特許文献３】特開２００２−２６２６７３号公報
【特許文献４】特開２００８−２１２０４７号公報
【特許文献５】特開２００６−１９１８５０号公報
【特許文献６】実用新案登録第３１０９８６１号公報
【特許文献７】特開２００２−１０１７６４号公報
【発明の概要】
【発明が解決しようとする課題】
【０００６】
緑化が必要な都市部には、前記のように、屋上や大壁面の他にも緑化の可能なあるいは緑化が要望される中規模、小規模の構築物がある。しかし、大型の緑化構造は、その大掛かりさのために、このような中規模、小規模の緑化対象に適合せず、また、逐一、設計図を引きそれぞれに個別の工事をする必要がある。さらに、小型の緑化構造であっても、従来の緑化装置やユニットは、緑化装置として機能を完結するのに必要な部材、すなわち、植栽装置と潅水装置および植物を誘導し支持する装置のすべてが一揃いに準備されていることはなく、各部材をそれぞれに買い求めて揃える必要がある。
【０００７】
また、このような中規模あるいは小規模の構築物は、全体としての形態や寸法がさまざまであり、植物を誘導し支持する格子などの支持物が剛直あるいは形態的な融通性に乏しいと、構築物の緑化対象箇所とうまく適合できないことがある。加えて、それぞれの装置どうしの結合が統一されておらず、付加的な部材や加工を必要とすることがある。
この発明は、主として中規模、小規模の構築物（緑化対象）に対して手軽に緑化を実施することができ、また、緑化のためのコストを低減することを課題とする。
【課題を解決するための手段】
【０００８】
植栽装置と潅水装置及び植栽された植物を誘引し支持する装置としてのワイヤを揃え、緑化装置セットとする。ソーラーパネルによる電源装置やＬＥＤによる照明装置を備えることがある。
【発明の効果】
【０００９】
緑化装置セットを購入すれば、緑化のために必要な機能が完結するから、緑化のために必要な装置をそれぞれに買い求める必要がなく、手軽にかつ確実に緑化工事を施工することができる。また、準備されている装置間でミスマッチがなく施工に際して付加的な部材や加工を必要としない。  
植物を誘導し支持する支持物はワイヤであるから、緑化対象物に対して形態的、寸法的な自由度が極めて高い、また、寸法的にいくつかのグループに分け、それぞれのグループで量産できるから、コストを低減することができる。さらに、ワイヤは屈曲や本数の増減が自由なので、緑化対象物の形態的あるいは面積的な変化に対して広範囲にかつ緻密に対応することができる。工事現場の一時的な緑化など、将来、撤去が予定されるような場合にも、撤去作業が簡単であり、また、再利用が可能である。
【図面の簡単な説明】
【００１０】
【図１】バス停の緑化を示した正面図（施工例１）。
【図２】施工例１の側面図。
【図３】給水、電源、コントロールの経路を示した図。
【図４】ワイヤの例を示す正面図。
【図５】ワイヤ張設の一例を示す斜視図。
【図６】地下への出入り口構築物を緑化した正面図（施工例２）。
【図７】施工例２の側面図。
【図８】排気口構築物を緑化した正面図（施工例３）。
【図９】施工例３の側面図。
【図１０】コンビニエンスストアの緑化を示した斜視図（施工例４）。
【発明を実施するための形態】
【００１１】
図１、図２は、実施例をバス停１に施工した例（施工例１）である。緑化装置セット２は、植栽装置３と潅水装置４及び植栽された植物を誘引し支持する装置としてのワイヤ５を揃えたものが基本である。この実施例では他にソーラーパネル２５による電源装置６を有している。
【００１２】
バス停１は屋根７を支柱８で支えた典型的な形態であり、道路に沿って細長く、矢印で示す前方を乗車箇所、後方を降車箇所とし、中間部にベンチ９が設置されている。  
植栽装置３は、いわゆるプランターであって、ベンチ９の下側に配置されており、土壌収容部１０と潅水パイプ１１を有する。なお、バス停ではベンチ９の箇所に掲示板などが設置されていることが多いが、植栽装置３はこれらを撤去することなく設置される。  
土壌収容部１０には、つる性植物（例えば、テイカカズラ）の生育に適した土壌を収容し、また、土壌収容部１０には潅水パイプ１１から給水され、土壌水分が適正に維持される。
【００１３】
潅水装置４は、図３にも示すように、貯水タンク１２と前記の潅水パイプ１１、シャワー装置１３及びコントロール装置１７とポンプ１８を備える。潅水装置４は、雨水を利用するものであり、屋根に備わった樋１４を利用して雨水を容量２００リットル程度の貯水タンク１２に集める。貯水タンク１２の内部にはフィルターがあり、大型のごみを分離できる構造となっている。符号１５は溢流用のドレインパイプである。  
貯水タンク１２は弁装置１６を経由して潅水パイプ１１に接続されると共にポンプ１８に接続され、ポンプ１８の吐出口にはシャワー装置１３の立上りパイプ１３ａが接続されている（図３中の太線経路）。ポンプ１８はスイッチｓｗ１で駆動が断・続される。そして、前記の弁装置１６とスイッチｓｗ１はコントロール装置１７の制御下にある（図３中の破線経路）。なお、コントロール装置１７は、この実施例において、弁の開閉を制御するタイマーと後述の照明装置２７の点・滅を制御するために昼と夜を判別する光センサーを備えている。  
シャワー装置１３（図２）はポンプ１８の吐出口に接続された立上がりパイプ１３ａの先端に取付けたノズル１３ｂから、屋根７の上面に茂る植栽に所定時間ごとに散水する。また、潅水パイプ１１には、弁装置１６を経由して貯水タンク１２から所定時間ごとに給水される。
【００１４】
ワイヤ５は、図４のように、ステンレス（ＳＵＳ３０４）の細線を撚り合わせその表面を合成樹脂で被覆した主線１９に同様な副線２０をらせん状に巻きつけて一体化したスパイラルワイヤ（呼び径６ｍｍ）であり、この実施例では両端にワイヤ取付け具２１ａ，２１ｂを備えている。一端の取付け具２１ａはフックを備えると共にチャック機構を内蔵したワイヤグリップであって、ワイヤの端部を差し込むことにより戻り方向の移動が阻止される。他端の取付け具２１ｂはフックを備えたコイルスプリング構造である。  
ワイヤ５は複数本が準備され、植栽装置３と屋根７間に張設されると共に、屋根７の全面に渡って張設される。張設の態様としては、すだれ状や格子状など、種々のものを採用することができ、また、ワイヤ５の本数や種々の態様を組み合わせることで、簡単に屋根の寸法（面積）や形態に適合させることができる。
【００１５】
各ワイヤ５の下端は植栽装置３の縁に固定したアングル材２２（図５）に係合させまた、上端は屋根７の一端に固定したアングル材２３に係合させて取付ける。屋根７の上面は、このアングル材２３と対向縁側に固定したアングル材２４間に張設する。この実施例では、左右の縁にもアングル材を固定して屋根７の上面にワイヤ５を格子状に張り巡らせている。ワイヤ５の張力は、１５０〜２００Ｎである。  
ワイヤ５はスパイラルワイヤなので、特につる性植物の誘導と支持に優れ、つるが副線２０の螺旋に沿って成長し、確実に支持される。
【００１６】
ソーラーパネルによる電源装置６は、前記のソーラーパネル２５とバッテリー２６（図３）を中心に構成され、この実施例において、ＬＥＤを利用した照明装置２７及びポンプ１８の電源であるとともに、コントロール装置１７の電源ともなっている。なお、コントロール装置１７は、前記のようにポンプ１８の断・続を行うｓｗ１と照明装置２７の点・滅を行うｓｗ２の開・閉を制御する。  
ＬＥＤを用いた照明装置２７は防犯用であると共に、夜間、植栽の緑を美しく映えさせることができる。また、この照明はＬＥＤを利用した広告ボックス２８や情報伝達ボードとしても利用できる。
【００１７】
バス停１では、植栽装置３に植えたつる性植物がワイヤ５を伝って上方へ延び、屋根７にいたって全面に繁茂する。繁茂した植物は屋根７の照り返しによる周辺気温の上昇を抑制し、また、バスを待つ人や通行人の気分を和らげる効果がある。  
なお、極端な日照りの際には別途に水遣りが必要であったり、植栽が繁茂しすぎる場合に適当な刈り込みが必要であったりするが、通常は、見回る程度で緑を維持することができる。
【００１８】
そして、この緑化装置セット２は、商品としてのこのセットを購入して現場に準備すれば、緑化のために必要な機能を完結させることができるから、簡単に手早く施工することができる。また、このセットは植栽植物を誘導し支持する部材をワイヤ５としているから、緑化対象物の寸法や形態へ簡単に対応することができる。
【００１９】
図６、図７は、地下鉄への出入り口に施工した例（施工例２）を示している。地下鉄や地下道への出入り口は、比較的細長く、平らな屋根を備えることが多い。また、長手方向の片側は車道であり、もう一方の側は歩道であることが多い。  
このような箇所には、緑化装置セット２の植栽装置３や潅水装置４の貯水タンク１２を出入り口構築物の後端（出口と逆の短辺側）に設置し、そこからワイヤ５を張設する。ワイヤ５は植栽装置３の縁に固定したアングル材２２から屋根の一端に固定したアングル材２３及び屋根の他端に固定したアングル材２４にかけて張設する。屋根７からの樋１４を貯水タンク１２に連通させる。
【００２０】
ワイヤ５は長さを調整しやすく、屈曲するので扱いやすい。なお、ワイヤ５は複数本であり、各ワイヤ５の長さは、下方のアングル材２２から中間のアングル材２３までのもの（例えば、２ｍ）とアングル材２３からアングル材２４までのもの（同４ｍ）の２種類にしてもよく、下方のアングル材２２から屋根他端側のアングル材２４まで一本で連続するものであっても良い。さらに、屋根上面のワイヤ５を格子状に配置することもある。  
このような場合も、販売されている緑化装置セット２を購入して現場に運び、ほぼセットするだけの作業で簡単に緑化を完成させることができる。しかも、機能的に自己完結型であるから、設置後の植生に格別な手間を要することがない。
【００２１】
図８、図９は、ビルの屋上や庭園広場などに設計されることが多い空調設備用の排気口構築物に施工した例（施工例３）である。この構築物は外観のデザイン上から屋根７が円弧を連続させた曲面になっている。  
このような場合も、排気出口とは反対側の後方に緑化装置セット２の植栽装置３と潅水装置４の貯水タンク１２を設置して、植栽装置３の近辺に固定したアングル材２２から屋根の一端に固定したアングル材２３（複数）及び屋根の他端に固定したアングル材２４（複数）にかけて張設する。屋根７からの樋１４を貯水タンク１２に連通させる。
【００２２】
屋根７に張設するワイヤ５（複数本）は側面から見て多角形を描くことになるが、屋根７の曲面へ簡単に適合させることができる。この場合もワイヤ５は長手方向に複数本を連続させるものでもよく、長手方向に一本のものであっても良い。この施工例において屋根７の平面視は長方形で単純であるが、例えば楕円形をしていても、この面をワイヤで覆うことは、ワイヤ５の配置と長さを調整することで簡単に対応することができる。
【００２３】
図１０は、施工例４を示し、コンビニエンスストアのファサード（出入り口側正面）と側面を緑化したものである。  
コンビニエンスストアは、警察官の連絡所機能や役所の出張所機能、銀行機能などの他に、ごみの回収や太陽エネルギーの利用など、目に見える形でさまざまな社会参加を意図している。緑化もその一つである。  
しかし、従来の緑化方法では、大掛かりとなりコストが嵩む上、ファサードが面状に繁茂した植物で隠されてしまうなどの難点がある。
【００２４】
このような場合にも、この発明によれば、緑化装置セット２を現場に運び、植栽装置３と潅水装置４の貯水タンク１２を地面に設置し、建物の樋１４を貯水タンク１２に連結し、さらに、貯水タンク１２と植栽装置３とをパイプでつなぐことにより、簡単に緑化を実施することができる。
【００２５】
なお、施工例４では貯水タンク１２を大型にして、ファサード側の植栽装置３と側壁面の植栽装置の双方に給水するようにしてある。また、この緑化装置セット２は大型のソーラーパネルによる電源装置６を備え、屋根７に設置した大型のソーラーパネル２５と照明装置２７を有する。照明装置２７は、側壁を緑化する部分の下方に配置され、夜間の一定時間、植栽された植物をライトアップする。  
また、ファサード側に配置された複数本のワイヤ５は植栽装置３の近くから屋根７の端まで張設されているがその左右間隔は側壁の場合よりも大きく、建物内部の様子がガラス越しに見通せる程度としている。逆に、側壁の箇所ではワイヤ５の配列を前後に二重として、緑化を濃いものとすることもできる。これらの施工はワイヤ５の本数を調整するだけであるから、簡単に対応することができる。  
符号２８は広告ボックスであり、ソーラーパネル２５を電源として、夜間に緑化協力企業の名称などを表示することができる。
【００２６】
いずれの施工例の場合も、緑化装置セット２を現場に運び、取り付け施工を行うだけで、必要な機能を備えた、すなわち、機能的に完結した緑化を完成させることができる。給水のためにパイプを水道管と接続する工事などは必要がない。また、施工に際して、各部材間でミスマッチングが生じることがない。さらに、ワイヤの寸法や本数を調整し、あるいはワイヤを屈曲させるなどして現場の状況へ簡単に適合させることができる。
【００２７】
以上、実施例を施工例で説明した。  
緑化装置セット２としては施工の規模に対応できるように、例えば、大・中・小のグループを準備しておき、それぞれに土壌収容部１０やワイヤ５の基本となる長さなどを定めておくことが好ましい。  
ワイヤ５はスパイラルワイヤが好ましいが、これに限らず鋼線なども利用できる。
【００２８】
ワイヤ５は直線状に延伸させるものばかりでなく、一本のワイヤを所定幅内で折り返し、往行部分と折り返された復行部分とを隣接するもの同士で所定間隔に連結することで、全体として網状に形成されるものも包含する。ワイヤ両端の取付け具はフックを備えたワイヤグリップ２１ａやコイルスプリングを備えたフック２１ｂに限らず、他のものへワイヤ５の端部を固定できる構造を備えたものであれば良い。  
コンビニエンスストアの施工例では、貯水タンク１２に空調装置から排出されるドレイン水を誘導して有効に利用することも考えられる。
【００２９】
シャワー装置１３は、植栽装置３に潅水パイプ１１を備えるので必須のものではないが、屋根７の冷却にもなるので備えることが好ましい。また、先端のノズルから散水するものに限らず、散水ホース（パイプ）に形成された多数の小さな孔から水を滴らせる滴下方式のものも採用できる。滴下方式のものは滴下孔の位置で散水ホースとワイヤ５（スパイラルワイヤ）とを交差させ、滴下される雨水をワイヤ５を伝わらせて植物に給水する。滴下方式は無駄な散水が少ない。  
植栽装置３への潅水は潅水パイプ１１の他に土壌収容部１０の下半を貯水部にしてここに貯水タンク１２から供給される雨水を吸水管によって上方の土壌層へ給水する構造を基本とすることもできる。  
また、バス停などベンチを利用できる箇所では、ベンチに座る人の体重を利用して、ピストンを押し下げたり、ベンチの変形によって貯水タンク１２内部の空間圧力を高めたりして潅水あるいは散水のためのポンプ動力とすることもできる。
【符号の説明】
【００３０】
１  バス停
２  緑化装置セット
３  植栽装置
４  潅水装置
５  ワイヤ
６  ソーラーパネルによる電源装置
７  屋根
８  支柱
９  ベンチ
１０  土壌収容部
１１  潅水パイプ
１２  貯水タンク
１３  シャワー装置
１３ａ  立上りパイプ
１３ｂ  ノズル
１４  樋
１５  ドレインパイプ
１６  弁装置
１７  コントロール装置
１８  ポンプ
１９  主線
２０  副線
２１ａ  フックを備えたワイヤグリップ
２１ｂ  コイルスプリングを備えたフック
２２  アングル材
２３  アングル材
２４  アングル材
２５  ソーラーパネル
２６  バッテリー
２７  照明装置
２８  広告ボックス
【図１】
2011024502.tif 000003
【図２】
2011024502.tif 000004
【図３】
2011024502.tif 000005
【図４】
2011024502.tif 000006
【図５】
2011024502.tif 000007
【図６】
2011024502.tif 000008
【図７】
2011024502.tif 000009
【図８】
2011024502.tif 000010
【図９】
2011024502.tif 000011
【図１０】
2011024502.tif 000012